(57)【要約】【課題】攪拌容器を提供する。【解決手段】攪拌容器はカップ、クランプ機構および攪拌装置を備える。カップは底板と、底板の辺縁部から上に伸びて形成された壁面とを有する。底板は頂面、底面および開口部を有する。開口部は頂面および底面を貫通する。クランプ機構はカップの底板に連結され、カップの底板の頂面および底面を挟み込む。攪拌装置はカップの底板の開口部を貫通し、クランプ機構に連結される。上述したとおり、攪拌容器はクランプ機構によってカップの底板を固定するため、カップの底板が加熱によって変形することを抑制することができる。【選択図】図２
2016209538.tif 000002
【特許請求の範囲】
【請求項１】
カップ、クランプ機構および攪拌装置を備え、
前記カップは、底板と、前記底板の辺縁部から上に伸びて形成された壁面とを有し、前記底板は頂面、底面および開口部を有し、前記開口部は前記頂面および前記底面を貫通し、
前記クランプ機構は、前記カップの前記底板に連結され、前記カップの前記底板の前記頂面および前記底面を挟み込み、
前記攪拌装置は、前記カップの前記底板の前記開口部を貫通し、前記クランプ機構に連結されることを特徴とする、
攪拌容器。
【請求項２】
前記クランプ機構は、押さえ板および台座を有し、前記押さえ板は前記カップの前記底板の前記頂面を押さえ、前記台座は前記カップの前記底板の前記底面を支え、前記攪拌装置は前記台座に連結され、前記押さえ板を挟み込んで押さえることを特徴とする請求項１に記載の攪拌容器。
【請求項３】
前記押さえ板の材質はステンレス鋼であることを特徴とする請求項２に記載の攪拌容器。
【請求項４】
前記クランプ機構は、さらに複数の連結ユニットを有し、前記連結ユニットは前記カップおよび前記クランプ機構の前記台座を連結することを特徴とする請求項２に記載の攪拌容器。
【請求項５】
前記クランプ機構は、さらに防水ワッシャーを有し、前記防水ワッシャーは前記押さえ板と前記カップの前記底板との間に挟み込まれることを特徴とする請求項２に記載の攪拌容器。
【請求項６】
前記押さえ板は、環状片、ガイド辺部および穿孔を有し、前記穿孔は前記カップの前記底板の前記開口部に繋がり、前記ガイド辺部は前記穿孔を囲むように前記環状片から下に伸びて形成され、前記攪拌装置は前記穿孔を貫通し、前記ガイド辺部の上縁部を押さえ、前記ガイド辺部の下縁部は前記カップの前記底板に当接することを特徴とする請求項５に記載の攪拌容器。
【請求項７】
前記クランプ機構は、さらに防水リングを有し、前記防水リングは前記クランプ機構の前記押さえ板と前記攪拌装置との間に配置されることを特徴とする請求項１または請求項６に記載の攪拌容器。
【請求項８】
前記カップの外側輪郭は矩形であり、前記カップの前記底板の輪郭は菱形であることを特徴とする請求項１に記載の攪拌容器。
【請求項９】
前記クランプ機構は、さらに防振リングを有し、前記防振リングは前記クランプ機構の前記台座と前記カップの前記底板との間に配置されることを特徴とする請求項１に記載の攪拌容器。
【発明の詳細な説明】
【技術分野】
【０００１】
本発明は、攪拌容器、特にジューサーの攪拌容器に関するものである。
【背景技術】
【０００２】
健康志向が高まっていく現今において、日々忙しく、様々な食材を使って料理する時間的な余裕がないため、通常の食事から十分な栄養を摂ることはできない。そこで食品調理機器が開発された。食品調理機器は様々な食材を刻み、加熱し、食べ物を作るものであるため、食材を使って料理を作る時間が足りないという問題は食品調理機器の利便性によって改善される。
【０００３】
食品調理機器は食材を細かく刻む機能のほかに、本体によって攪拌容器を加熱し、攪拌容器内の食材を煮る機能がある。攪拌容器は通常プラスチックから製作され、食材を煮るとともに生じた高温によって攪拌容器の底板が変形しやすいため、攪拌容器内の食材の汁は変形した部位から攪拌容器の外部へ漏れることがよくある。
【０００４】
従って、攪拌容器が加熱によって変形するという問題は本技術領域において極めて解決すべき課題である。
【発明の概要】
【発明が解決しようとする課題】
【０００５】
本発明は、上述した欠点に鑑み、熱を受けても変形を抑制できる攪拌容器を提供することを主な目的とする。
【課題を解決するための手段】
【０００６】
上述した課題を解決するための攪拌容器はカップ、クランプ機構および攪拌装置を備える。
カップは底板と、底板の辺縁部から上に伸びて形成された壁面とを有する。底板は頂面、底面および開口部を有する。開口部は頂面および底面を貫通する。クランプ機構はカップの底板に連結され、カップの底板の頂面および底面を挟み込む。攪拌装置はカップの底板の開口部を貫通し、クランプ機構に連結される。上述したとおり、攪拌容器はクランプ機構によってカップの底板を固定するため、カップの底板が加熱によって変形することを抑制することができる。
【０００７】
比較的好ましい場合、クランプ機構は押さえ板および台座を有する。押さえ板はカップの底板の頂面を押さえる。台座はカップの底板の底面を支える。攪拌装置は台座に連結され、押さえ板を挟み込んで押さえる。上述したとおり、カップの底板は押さえ板および台座に挟み込まれ、固定されるため、変形を抑制できる。
【０００８】
本発明による攪拌容器の詳細な構造、特徴、組み立てまたは使用方法を、以下の実施形態の詳細な説明を通して明確にする。なお、以下の詳細な説明および本発明により提示された実施形態は本発明を説明するための一例に過ぎず、本発明の請求範囲を限定できないことは、本発明にかかわる領域において常識がある人ならば理解できるはずである。
【図面の簡単な説明】
【０００９】
【図１】本発明の一実施形態による攪拌容器を使用した食品調理機器を示す斜視図である。
【図２】本発明の一実施形態による攪拌容器を示す分解斜視図である。
【図３】本発明の一実施形態による攪拌容器を示す平面図である。
【図４】図３中の４−４線に沿った断面図である。
【図５】図３中の５−５線に沿った断面図である。
【図６】図４の一部分を示す拡大図である。
【図７】図６の一部分を示す拡大図である。
【発明を実施するための形態】
【００１０】
以下、本発明による攪拌容器の構成および達成した効果を図面および実施形態に基づいて説明する。図中の攪拌容器のパーツ、寸法および外観は本発明の構成を限定するものでなく、本発明の技術特徴を明確にするためである。
【００１１】
（一実施形態）
図１に示すように、本発明の一実施形態による攪拌容器１０は本体３０に着脱できるように装着される。本体３０は食品調理機器、ジューサーおよび攪拌機器を作動させる機構であり、モーターおよびコントローラを備えることが一般的である。本体３０は形態が様々であり、これは従来の技術であるため、詳しい説明を省略する。
【００１２】
図２に示すように、攪拌容器１０はカップ１１、クランプ機構１３、攪拌装置１５、計量カップ１７および蓋１９を備える。クランプ機構１３および攪拌装置１５はカップ１１に装着される。計量カップ１７は蓋１９に配置されるか、蓋１９に着脱できるように装着される。計量カップ１７および蓋１９は本発明の特徴ではないため、詳しい説明を省略する。
【００１３】
本実施形態において、クランプ機構１３は、押さえ板１３１、台座１３３、防水ワッシャー１３５、防水リング１３７、防振リング１３９および二つの連結ユニットを有する。連結ユニットはナット１４１およびボルト１４３からなる。攪拌装置１５はカップ１１内の食品を刻んだり攪拌したりする刃物である。押さえ板１３１の材質はステンレス鋼であれば比較的好ましいが、これに限らない。
【００１４】
図３に示すように、本実施形態において、カップ１１は外側輪郭Ａが矩形であり、底部の輪郭Ｂが菱形であるように設計されるため、カップ１１内の食品を攪拌する効果を向上させることができる。カップ１１の形は上述したとおりであるが、これに限らない。
【００１５】
図４および図５に示すように、カップ１１は底板１１１と、底板１１１の辺縁部から上に伸びて形成された壁面１１３とを有する。底板１１１および壁面１１３の位置を説明するために、図中の底板１１１および壁面１１３は破線によって分割される。実際に破線は存在しない。
上に伸びて形成された壁面１１３は上に伸びる傾斜角度を呈するとは限らないため、カップ１１の壁面１１３は本実施形態に限定されない。一方、底板１１１の輪郭は菱形である。本実施形態において、底板１１１は上述したカップ１１の底部であるため、底板１１１の輪郭は図３に示した輪郭Ｂである。
【００１６】
底板１１１は、頂面１１５、底面１１７および開口部１１９を有する。開口部１１９は頂面１１５および底面１１７を貫通する。クランプ機構１３はカップ１１の底板１１１に連結され、カップ１１の底板１１１の頂面１１５および底面１１７を挟み込む。攪拌装置１５はカップ１１の底板１１１の開口部１１９を貫通し、クランプ機構１３に連結される。
上述したとおり、カップ１１の底板１１１はクランプ機構１３に挟まれ、固定される。カップ１１の底板１１１およびクランプ機構１３は攪拌装置１５によって連結および固定されるため、攪拌容器１０が長時間にわたって使用されても、クランプ機構１３は底板１１１が変形し、水漏れを生じさせることを抑制することができる。
【００１７】
防振リング１３９は、台座１３３とカップ１１の底板１１１との間に装着され、攪拌装置１５の回転に伴ってカップ１１に生じた振動を緩和する。
【００１８】
ナット１４１およびボルト１４３は、台座１３３およびカップ１１を連結するため、台座１３３は緩くならないようにカップ１１にしっかり固定される。
本実施形態は連結ユニットとしてナット１４１およびボルト１４３を使用するが、これに限らず、別の連結ユニットを使用してもよいため、連結ユニットはナット１４１およびボルト１４３からなるとは限らない。
【００１９】
以上、図４および図５に示すように、断面図の表示方向が異なっても、カップ１１、クランプ機構１３および攪拌装置１５は同じ位置に配置される。
続いて図４の一部分を示す拡大図（即ち図６）に基づいてカップ１１、クランプ機構１３および攪拌装置１５の関係を説明する。
【００２０】
図６および図７に示すように、押さえ板１３１はカップ１１の底板１１１の頂面１１５を押さえる。台座１３３はカップ１１の底板１１１の底面１１７を支える。攪拌装置１５は台座１３３に連結されることで押さえ板１３１を挟んで押さえる。上述した構造により、カップ１１の底板１１１は攪拌装置１５によって押さえ板１３１および台座１３３の間に挟まれ、固定される。
【００２１】
防水ワッシャー１３５は、押さえ板１３１とカップ１１の底板１１１との間に挟み込まれ、カップ１１内の液体がカップ１１の外部に漏れることを抑制する。
【００２２】
図２、図６および図７に示すように、押さえ板１３１は、環状片１３１ａ、ガイド辺部１３１ｂおよび穿孔１３１ｃを有する。穿孔１３１ｃはカップ１１の底板１１１の開口部１１９に繋がる。ガイド辺部１３１ｂは穿孔１３１ｃを囲むように環状片１３１ａから下に伸びて形成される。
攪拌装置１５は穿孔１３１ｃを貫通し、ガイド辺部１３１ｂの上縁部を押さえる。ガイド辺部１３１ｂは下縁部がカップ１１の底板１１１に当接する。防水ワッシャー１３５は押さえ板１３１の環状片１３１ａ、ガイド辺部１３１ｂと底板１１１との間に位置する。
【００２３】
防水リング１３７は、クランプ機構１３の押さえ板１３１と攪拌装置１５との間に配置され、カップ１１内の液体が攪拌装置１５の外側表面に沿ってカップ１１の外部に漏れることを抑制する。
【００２４】
クランプ機構１３は、押さえ板１３１および台座１３３にカップ１１の底板１１１を挟み込んで固定することによって底板１１１の変形を抑制することができるだけでなく、防水リング１３７によってカップ１１内の液体がカップ１１の外部に漏れることを抑制することができる。
【００２５】
本実施形態において、クランプ機構１３は上述したパーツを有するが、これに限らない。カップ１１の底板１１１を挟み込み、固定し、カップ１１の底板１１１の変形を抑制することさえできれば、クランプ機構１３の構造を変えてもよい。つまり、クランプ機構１３の構造は本実施形態に限定されない。
一方、先行技術により食品調理機器の攪拌容器が変形するだけでなく、長期間にわたって使用されたジューサーまたは攪拌機器では攪拌容器の底板も変形するという実態が提示された。これに対し、本発明による攪拌容器は食品調理機器の使用に限らず、それ以外の使用に対応できる。
【００２６】
以上、本発明は、上記実施形態になんら限定されるものではなく、発明の趣旨を逸脱しない範囲において種々の形態で実施可能である。
【符号の説明】
【００２７】
１０      攪拌容器  
１１      カップ  
１１１    底板  
１１３    壁面  
１１５    頂面  
１１７    底面  
１１９    開口部  
１３      クランプ機構  
１３１    押さえ板  
１３１ａ  環状片  
１３１ｂ  ガイド辺部  
１３１ｃ  穿孔  
１３３    台座  
１３５    防水ワッシャー  
１３７    防水リング  
１３９    防振リング  
１４１    ナット  
１４３    ボルト  
１５      攪拌装置  
１７      計量カップ  
１９      蓋  
３０      本体  
ＡＢ      輪郭
【図１】
2016209538.tif 000003
【図２】
2016209538.tif 000004
【図３】
2016209538.tif 000005
【図４】
2016209538.tif 000006
【図５】
2016209538.tif 000007
【図６】
2016209538.tif 000008
【図７】
2016209538.tif 000009